(57)【特許請求の範囲】
【請求項１】
玄米または白米などの穀類計量機において穀類を袋に充填する際に用いる袋開口保持装置であって、重量計の台上に載せる左右一対の基台と、左右一対の基台上に立設した棒状体からなる左右一対の支柱とその上端間を横桁でつないでなる支持枠と、支持枠の横桁に立設した支柱に取付アームにより背面側を取り付けた袋開口保持円筒と、支持枠の左右一対の支柱に上下高さ調節自在に取り付けた袋載せ台から成り、袋開口保持円筒には、その外周面に袋の開口端を挟み保持する袋係止舌片を備えており、上記袋係止舌片は、袋開口保持円筒の外周面に固定した下方傾斜アームに上下方向回動自在に軸着され、かつその先端部が袋のずり下がり方向で袋開口保持円筒の外周面に対する係止力が増大する湾曲形状を成して袋開口保持円筒の外周面に接離自在であり、袋の開口端部を袋開口保持円筒の外周面に沿ってずり上げ自在でありかつずり下がりを阻止できることを特徴とする穀類計量機の袋開口保持装置。
【請求項２】
袋係止舌片は、穀類計量機の正面側からみて袋開口保持円筒の左右両側に設けたことを特徴とする請求項１記載の穀類計量機の袋開口保持装置。
【請求項３】
袋係止舌片は、穀類計量機の正面側からみて袋開口保持円筒の正面側に設けたことを特徴とする請求項１記載の穀類計量機の袋開口保持装置。
【発明の詳細な説明】
【０００１】
【発明の属する技術分野】
本発明は、玄米または白米などの穀類計量機において穀類を袋に充填する際に用いる袋開口保持装置に関する。ここに穀類計量機とは、穀類の自動計量機能のみのもの、または穀類の選別機能と選別した穀類の自動計量機能とを備えたものなど、穀類を袋に充填する機能を備えた種々の装置を指称するものとする。
【０００２】
【従来の技術】
籾摺機で籾摺りした玄米または精米機で精米した白米は、穀粒の表面が摩擦や研削作用を受けるところから、穀粒の一部に破砕が生じたり、変形が生じることは避けられない。このような破砕粒や変形粒は、屑粒のような細粒のほかに粒の一部が欠けた欠損粒（いわゆる半欠け米または胴割れ米）などの非整粒であるが、玄米または白米を所定品位のものとするには、品位度に応じた精選率まで非整粒を選別除去する必要がある。そして、その用途に供される穀類自動選別計量機としては種々のものがある。
【０００３】
また、選別済みの玄米または白米、さらには選別前の玄米または白米を、所要重量ごとに袋詰めするための穀類自動計量機も種々のものが使用されている。
【０００４】
そして、穀類自動選別計量機や穀類自動計量機においては、穀類をその重量を計量しながら袋に充填するので、従来から、袋の上端を開口して自立保持する袋立器を用いており、その袋立器は、袋内に挿入して袋を開口させ、かつ自立保持するものであった。
【０００５】
【発明が解決しようとする課題】
ところで、従来の袋内に挿入して用いる袋立器は、袋を確実に開口保持するため、袋を広げた状態でその内面にできるだけ密に沿うようにしたものであったり、また、袋を内側から突っ張り保持するようにしたものであるから、空の袋に袋立器を挿入するにも手間取るし、袋に穀類を充填した後は穀類が詰まっているので袋立器が取り出しにくいばかりでなく、その取り出しの際に穀類を飛び散らしてしまうことがある。このため、穀類自動選別計量機や穀類自動計量機のように、穀類の計量充填作業を次々と連続的に行う作業形態においては、その作業を円滑かつ効率よく行ううえからも、穀類を充填する袋を手軽に開口保持できるとともに、穀類の充填中において袋が確実に開口保持できることが要請される。
【０００６】
そこで、本発明は、穀類計量機において穀類を充填する袋を重量計上に載置する際に、その開口端を袋開口保持円筒に簡便に装着できるとともに、袋開口保持円筒に装着した袋が脱落したり倒れないように確実に保持できて、穀類の計量充填作業が円滑かつ能率的にできる穀類計量機の袋開口保持装置を提供することを目的とする。
【０００７】
【課題を解決するための手段】
本発明に係る請求項１の構成は、玄米または白米などの穀類計量機において穀類を袋に充填する際に用いる袋開口保持装置であって、重量計の台上に載せる左右一対の基台と、左右一対の基台上に立設した棒状体からなる左右一対の支柱とその上端間を横桁でつないでなる支持枠と、支持枠の横桁に立設した支柱に取付アームにより背面側を取り付けた袋開口保持円筒と、支持枠の左右一対の支柱に上下高さ調節自在に取り付けた袋載せ台から成り、袋開口保持円筒には、その外周面に袋の開口端を挟み保持する袋係止舌片を備えており、上記袋係止舌片は、袋開口保持円筒の外周面に固定した下方傾斜アームに上下方向回動自在に軸着され、かつその先端部が袋のずり下がり方向で袋開口保持円筒の外周面に対する係止力が増大する湾曲形状を成して袋開口保持円筒の外周面に接離自在であり、袋の開口端部を袋開口保持円筒の外周面に沿ってずり上げ自在でありかつずり下がりを阻止できることを特徴とするものである。
【０００８】
本発明に係る請求項２の構成は、請求項１の構成において、袋係止舌片は、穀類計量機の正面側からみて袋開口保持円筒の左右両側に設けたことを特徴とするものである。
【０００９】
本発明に係る請求項３の構成は、請求項１の構成において、袋係止舌片は、穀類計量機の正面側からみて袋開口保持円筒の正面側に設けたことを特徴とするものである。
【００１０】
なお、本発明において、袋開口保持円筒は袋を開口保持するものであるから、円筒であることが好ましいことは勿論である。
【００１１】
【発明の実施の形態】
図１は本発明の第１の実施の形態に係る袋開口保持装置を備えた穀類自動計量機の斜視図、図２は本発明の第１の実施の形態に係る袋開口保持装置の斜視図、図３は本発明の第１の実施の形態に係る袋開口保持装置の要部の斜視図、図４は本発明の第１の実施の形態に係る袋開口保持装置に袋を装着する態様を示す要部の斜視図、図５は図４の態様から袋のずり上げを完了した態様を示す要部の側面図、図６は図５の態様から袋の装着を完了した態様を示す要部の側面図である。図７は本発明の第２の実施の形態に係る袋開口保持装置の斜視図である。
【００１２】
図１ないし図６において、１は穀類自動計量機である。この穀類自動計量機１は、籾摺機（図示せず）により籾摺りした玄米、または精米機（図示せず）により精米した白米を袋２に計量充填するものである。穀類自動計量機１において、３は穀類貯留タンク、４は穀類送出口、５は昇降機、６は穀類投入ホッパである。穀類送出口４の下方には重量計７が配置される。穀類自動計量機１から袋２に穀類を充填するには、次に説明する袋開口保持装置８を重量計７の台上に設置する。そして、袋開口保持装置８に袋２を開口保持して穀類の計量充填を行う。９は制御盤、１０は排塵装置である。
【００１３】
図１ないし図６に示す本発明の第１の実施の形態に係る袋開口保持装置８は、次のように構成されている。すなわち、その袋開口保持装置８は、重量計７の台上に載せる左右一対の基台１１と、左右一対の基台１１上に立設した棒状体からなる左右一対の支柱とその上端間を横桁でつないでなる支持枠１２と、支持枠１２の上部に取り付けた袋開口保持円筒１３から成っており、支持枠１２の左右一対の支柱には袋載せ台１４が上下高さ調節自在に取り付けられている。袋開口保持円筒１３は、その背面側が支持枠１２の横桁に立設した支柱１５に取付アーム１６により取り付けられている。
【００１４】
袋開口保持円筒１３には、その外周面に袋２の開口端を挟み保持する袋係止舌片１７，１７を備えており、上記袋係止舌片１７，１７は、袋２の開口端部を袋開口保持円筒１３の外周面に沿ってずり上げ自在であり、かつ袋２のずり下がりを阻止する機能を備えているものである。袋係止舌片１７，１７は、穀類計量機１の正面側からみて袋開口保持円筒１３の左右両側に設けられている。
【００１５】
すなわち、袋係止舌片１７，１７は、袋開口保持円筒１３の外周面に固定した下方傾斜アーム１８，１８に、軸１９，１９により上下方向回動自在に軸着され、かつその先端部１７ａ，１７ａが袋開口保持円筒１３の外周面に接離自在の構成となっていて、袋２の装着にあたってその開口端を袋開口保持円筒１３の外周面に沿ってずり上げるだけで、あるいはその際に袋係止舌片１７，１７を指で少し持ち上げることにより、袋２の開口端を所要の高さまでずり上げることができる。そして、そのまま指を離すと、袋２の開口端は下動する袋係止舌片１７，１７の先端部１７ａ，１７ａによって袋開口保持円筒１３の外周面に押し付けられるので、袋２は袋開口保持円筒１３に確実に係止保持される。
【００１６】
そのうえ、袋係止舌片１７，１７は、その先端部１７ａ，１７ａが袋２のずり下がり方向で袋開口保持円筒１３の外周面に対する係止力が増す湾曲形状を成しているものであるから、袋開口保持円筒１３に係止保持された袋２がずり下がろうとするほど、袋係止舌片１７，１７による締め付け力が増大するので、袋２は宙吊り状にして穀類を充填する場合でも、袋２は脱落することがない。したがって、どのような形態の穀類計量機にも適用できるから汎用性にもすぐれている。
【００１７】
なお、袋開口保持円筒１３の外周面に固定した下方傾斜アーム１８，１８に、軸１９，１９により上下方向回動自在に軸着した袋係止舌片１７，１７は、下動方向に弾力付勢する機能をともなうものとしてもよい。
【００１８】
袋２は、ポリエチレン袋（通称、ビニール袋）または紙袋であって、底端を封じかつ上端を開口したものである。袋２は、平面状とした態様で矩形状を成し、横幅と縦幅の比は約１：１．６である。袋２は膨らませると略円筒状となるものである。
【００１９】
図１ないし図６に示す第１の実施の形態に係る袋開口保持装置８を備えた穀類自動計量機１において、袋２に穀類を充填するにあたっては、前述のように、袋２の開口端を袋開口保持円筒１３の下側から差し込んで袋係止舌片１７，１７との間にずり上げ、袋開口保持円筒１３に袋２を装着する。そして、開口保持した袋２に所要重量の穀類を充填後は、袋係止舌片１７，１７を指で少し押し上げることにより、穀類を充填した袋２を袋開口保持円筒１３から容易に外すことができる。
【００２０】
図７には本発明の第２の実施の形態が示されている。この第２の実施の形態にあっては、袋係止舌片１７が穀類自動計量機１の正面側からみて袋開口保持円筒１３の正面側に１つだけ設けてある。このように、袋開口保持円筒１３の正面側に袋係止舌片１７を１つだけ設けたものでは、袋２を左右の手で開いて穀類自動計量機１の正面側から袋開口保持円筒１３に掛ける作業がし易くなる。なお、本発明に係る袋係止舌片１７はその先端部１７ａが袋２のずり下がり方向で袋開口保持円筒１３の外周面に対する係止力が増す湾曲形状を成しているので、１つだけでも袋２の係止機能は十分である。
【００２１】
以上説明した本発明に係る袋開口保持装置８は、そのいずれのものも、主な用途として穀類自動計量機１から穀類を充填するのに用いるものであるが、必ずしもその用途に限るものではなく、手作業等による穀類の充填の場合にも用いることができる。なお、本発明に係る袋開口保持装置９は玄米や白米のような穀類のほか、穀粉その他の粉類や種々の粒状物の充填にもそのまま使用することができる。
【００２２】
【発明の効果】
本発明に係る穀類選別機の袋開口保持装置よれば、穀類計量機において穀類を充填する袋を重量計上に載置する際に、その開口端を袋開口保持円筒に簡便に装着できるとともに、袋開口保持円筒に装着した袋が脱落したり倒れないように確実に保持できて、穀類の計量充填作業が円滑かつ能率的にできる効果が得られる。
【００２３】
特に、本発明において、袋係止舌片の先端部が袋のずり下がり方向で袋開口保持円筒の外周面に対する係止力が増す湾曲形状としたことにより、袋を宙吊り状にして穀類を充填する場合でも脱落することがなく、種々異なる形態の穀類計量機にも適用できて、汎用性にすぐれた穀類選別機の袋開口保持装置を得ることができる。
【図面の簡単な説明】
【図１】  本発明の第１の実施の形態に係る袋開口保持装置を備えた穀類自動計量機の斜視図である。
【図２】  本発明の第１の実施の形態に係る袋開口保持装置の斜視図である。
【図３】  本発明の第１の実施の形態に係る袋開口保持装置の要部の斜視図である。
【図４】  本発明の第１の実施の形態に係る袋開口保持装置に袋を装着する態様を示す要部の斜視図である。
【図５】  図４の態様から袋のずり上げを完了した態様を示す要部の側面図である。
【図６】  図５の態様から袋の装着を完了した態様を示す要部の側面図である。
【図７】  本発明の第２の実施の形態に係る袋開口保持装置の斜視図である。
【符号の説明】
１  穀類自動計量機
２  袋
３  穀類貯留タンク
４  穀類送出口
５  昇降機
６  穀類投入ホッパ
７  重量計
８  袋開口保持装置
９  制御盤
１０  排塵装置
１１  基台
１２  支持枠
１３  袋開口保持円筒
１４  袋載せ台
１５  支柱
１６  取付アーム
１７  袋係止舌片
１７ａ  袋係止舌片の先端部
１８  下方傾斜アーム
１９  軸
【図１】
0003906402.tif 000002
【図２】
0003906402.tif 000003
【図３】
0003906402.tif 000004
【図４】
0003906402.tif 000005
【図５】
0003906402.tif 000006
【図６】
0003906402.tif 000007
【図７】
0003906402.tif 000008